(57)【特許請求の範囲】
【請求項１】
支持体とスライド体とに亘って電線を配索する電線配索装置であって、
前記支持体又は前記スライド体の一方に設けられて前記電線の余長部分を収容するケースと、
前記ケースにスライド可能に支持されるとともに前記電線を該ケースの内部から前記支持体又は前記スライド体の他方へ導くスライド部材と、を備え、
前記ケースは、該ケースの内部から外部に亘って前記スライド部材を挿通させる開口部と、該開口部に沿って取り付けられて互いに隙間を介して設けられる一対のモールと、を有し、
前記一対のモールは、それぞれ、前記ケースの外側に位置して一方から他方の該モールに向かって延びる第一突片と、該第一突片よりも前記ケースの内側に位置して一方から他方の該モールに向かって延びる第二突片と、を有し、前記第一突片が軟質な素材から形成され、前記第二突片が前記第一突片よりも硬質な素材から形成されるとともに、該一対のモールの自然状態における前記第一突片の先端縁よりも、前記第二突片の先端縁が突出方向に後退して設けられ、
前記第一突片は、突出方向の基端部及び先端部よりも中間部の厚さ寸法が厚く形成され、該中間部が前記第二突片に重なって設けられ、
前記第一突片の中間部は、前記第二突片に向かって凸に形成されるとともに、該中間部の厚さ寸法が最大となる部分が該第一突片の長さ中央よりも基端部寄りに設けられていることを特徴とする電線配索装置。
【請求項２】
支持体とスライド体とに亘って電線を配索する電線配索装置であって、
前記支持体又は前記スライド体の一方に設けられて前記電線の余長部分を収容するケースと、
前記ケースにスライド可能に支持されるとともに前記電線を該ケースの内部から前記支持体又は前記スライド体の他方へ導くスライド部材と、を備え、
前記ケースは、該ケースの内部から外部に亘って前記スライド部材を挿通させる開口部と、該開口部に沿って取り付けられて互いに隙間を介して設けられる一対のモールと、を有し、
前記一対のモールは、それぞれ、前記ケースの外側に位置して一方から他方の該モールに向かって延びる第一突片と、該第一突片よりも前記ケースの内側に位置して一方から他方の該モールに向かって延びる第二突片と、を有し、前記第一突片が軟質な素材から形成され、前記第二突片が前記第一突片よりも硬質な素材から形成されるとともに、該一対のモールの自然状態における前記第一突片の先端縁よりも、前記第二突片の先端縁が突出方向に後退して設けられ、
前記一対のモールは、それぞれ、前記第二突片よりも前記ケースの内側に延びる延出部を有し、該一対の延出部は、互いの間隔寸法が前記第二突片の先端同士の間隔寸法よりも大きく形成されていることを特徴とする電線配索装置。
【請求項３】
前記各延出部の先端部には、延出方向に向かって互いの間隔を拡大する方向に傾斜した傾斜面が形成されていることを特徴とする請求項２に記載の電線配索装置。
【請求項４】
前記第二突片における突出方向先端部には、該突出方向に向かって前記ケースの外側へ傾斜した傾斜面が形成されていることを特徴とする請求項１〜３のいずれか一項に記載の電線配索装置。
【請求項５】
前記第一突片の先端縁から前記第二突片の先端縁までの後退距離は、前記第一突片の突出方向の長さ寸法に対して１／２以下に設定されていることを特徴とする請求項１〜４のいずれか一項に記載の電線配索装置。
【発明の詳細な説明】
【技術分野】
【０００１】
本発明は、支持体とスライド体とに亘って電線を配索する電線配索装置に関するものである。
【背景技術】
【０００２】
例えば、自動車等において、支持体としての車体にスライド体としてのスライドシートがスライド可能に設けられている。スライドシートには、乗員が着座しているか否かを検出する着座センサや、シートベルトを装着しているか否かを検出するシートベルトセンサ等の電子機器が取り付けられている。このため、スライドシートが設けられた車両には、スライドシートに取り付けられた前記電子機器と車体側に設けられた制御装置等の電子機器とを接続するために、車体とスライドシートとに亘って電線を配索する種々の電線配索装置が用いられてきた（例えば、特許文献１参照）。
【０００３】
電線配索装置は、スライドシートに取り付けられた電子機器と車体側に設けられた制御装置等の電子機器とを接続する電線と、スライドシートの下方に配置されて電線の余長部分を収容したケースと、ケースの内部に設けられたレールと、ケース及びレールにスライド可能に支持されるとともに内側に通した電線をケース内からスライドシート側に導くプロテクタ（スライド部材）とを有している。ケースは、スライドシートのスライド方向に延びた箱状に形成され、このケースには、電線の余長部分をＵ字状に曲げた状態で収容する余長収容部が設けられている。また、ケースの上部には、スライド方向に延びるとともにプロテクタを挿通させる開口部が形成されている。
【０００４】
プロテクタは、電線の余長収容部の一部を把持する固定部と、固定部に連なりＬ字の筒状に形成された電線収容部と、電線収容部の外表面に設けられてレール内にスライド可能に収容された摺動部と、を有している。このプロテクタは、紐等によりブラケットを介してスライドシートから引っ張られることで、スライドシートと連動してスライドする。このプロテクタは、固定部により把持した電線を電線収容部の内側に通してスライドシート側に導くものである。
【０００５】
プロテクタを挿通させる開口部には、一対のモールが取り付けられている。これらのモールは、それぞれ合成樹脂であり、ケースの開口部を覆う弾性変形自在な覆い片を有して形成されている。一対のモール間にプロテクタが挿通されない位置では、自然状態の覆い片同士が互いに接触することで開口部を覆い、これによって、ケース内に異物が進入することを防止する。一方、一対のモール間にプロテクタが挿通された位置では、プロテクタに押し広げられて各覆い片が弾性変形するとともに、プロテクタの表面に覆い片が接触するように構成されている。
【先行技術文献】
【特許文献】
【０００６】
【特許文献１】特開２００６−４２４５５号公報
【発明の概要】
【発明が解決しようとする課題】
【０００７】
しかしながら、特許文献１に記載されたような従来の電線配索装置においては、一対のモールに設けられた覆い片とプロテクタ（スライド部材）とが摺接した際の摩擦抵抗を低減させるために、覆い片を軟質樹脂等の軟質材から形成するとともに、該覆い片の厚さを薄くして弾性変形量を確保する必要があった。このように大きく弾性変形可能な覆い片に対して外力が作用した場合には、該覆い片がケースの開口部から内部側に入り込んでしまい、入り込んだ覆い片がスライド部材のスライドを阻害する原因となる可能性があった。さらに、一対のモールに対して外方から覆い片を押し込むように異物が進入した場合には、この進入に抵抗するような反発力を覆い片が有しておらず、異物の進入を十分に抑制することが困難であった。
【０００８】
したがって、本発明は、スライド部材のスライドを阻害することなく、かつ、ケース内への異物の進入を抑制することができる電線配索装置を提供することを目的とする。
【課題を解決するための手段】
【０００９】
上記目的を達成するために請求項１に記載の電線配索装置は、支持体とスライド体とに亘って電線を配索する電線配索装置であって、前記支持体又は前記スライド体の一方に設けられて前記電線の余長部分を収容するケースと、前記ケースにスライド可能に支持されるとともに前記電線を該ケースの内部から前記支持体又は前記スライド体の他方へ導くスライド部材と、を備え、前記ケースは、該ケースの内部から外部に亘って前記スライド部材を挿通させる開口部と、該開口部に沿って取り付けられて互いに隙間を介して設けられる一対のモールと、を有し、前記一対のモールは、それぞれ、前記ケースの外側に位置して一方から他方の該モールに向かって延びる第一突片と、該第一突片よりも前記ケースの内側に位置して一方から他方の該モールに向かって延びる第二突片と、を有し、前記第一突片が軟質な素材から形成され、前記第二突片が前記第一突片よりも硬質な素材から形成されるとともに、該一対のモールの自然状態における前記第一突片の先端縁よりも、前記第二突片の先端縁が突出方向に後退して設けられ、前記第一突片は、突出方向の基端部及び先端部よりも中間部の厚さ寸法が厚く形成され、該中間部が前記第二突片に重なって設けられ、前記第一突片の中間部は、前記第二突片に向かって凸に形成されるとともに、該中間部の厚さ寸法が最大となる部分が該第一突片の長さ中央よりも基端部寄りに設けられていることを特徴とする。
【００１０】
請求項２に記載の電線配索装置は、支持体とスライド体とに亘って電線を配索する電線配索装置であって、前記支持体又は前記スライド体の一方に設けられて前記電線の余長部分を収容するケースと、前記ケースにスライド可能に支持されるとともに前記電線を該ケースの内部から前記支持体又は前記スライド体の他方へ導くスライド部材と、を備え、前記ケースは、該ケースの内部から外部に亘って前記スライド部材を挿通させる開口部と、該開口部に沿って取り付けられて互いに隙間を介して設けられる一対のモールと、を有し、前記一対のモールは、それぞれ、前記ケースの外側に位置して一方から他方の該モールに向かって延びる第一突片と、該第一突片よりも前記ケースの内側に位置して一方から他方の該モールに向かって延びる第二突片と、を有し、前記第一突片が軟質な素材から形成され、前記第二突片が前記第一突片よりも硬質な素材から形成されるとともに、該一対のモールの自然状態における前記第一突片の先端縁よりも、前記第二突片の先端縁が突出方向に後退して設けられ、前記一対のモールは、それぞれ、前記第二突片よりも前記ケースの内側に延びる延出部を有し、該一対の延出部は、互いの間隔寸法が前記第二突片の先端同士の間隔寸法よりも大きく形成されていることを特徴とする。
【００１１】
請求項３に記載の電線配索装置は、請求項２に記載された電線配索装置において、前記各延出部の先端部には、延出方向に向かって互いの間隔を拡大する方向に傾斜した傾斜面が形成されていることを特徴とする。
【００１２】
請求項４に記載の電線配索装置は、請求項１〜３のいずれか一項に記載された電線配索装置において、前記第二突片における突出方向先端部には、該突出方向に向かって前記ケースの外側へ傾斜した傾斜面が形成されていることを特徴とする。
【００１４】
請求項５に記載の電線配索装置は、請求項１〜４のいずれか一項に記載された電線配索装置において、前記第一突片の先端縁から前記第二突片の先端縁までの後退距離は、前記第一突片の突出方向の長さ寸法に対して１／２以下に設定されていることを特徴とする。
【発明の効果】
【００１５】
請求項１に記載された発明によれば、一対のモールが互いに隙間を介して設けられるとともに、第一突片が軟質な素材から形成されていることで、第一突片の剛性と先端同士の間隔寸法とを適宜に設定しておくことにより、スライド部材との摺接抵抗を抑制させることができる。また、第二突片の先端縁が第一突片の先端縁よりも後退して設けられていることで、スライド部材が接触しない程度の間隔で第二突片を設けておけば、スライド部材のスライドを阻害することがない。さらに、第二突片が第一突片よりも硬質な素材から形成されていることで、第一突片に外力が作用した場合にも、第二突片によって第一突片の変形が抑制され、第一突片がケースの内方側に入り込ことが防止できる。
【００１６】
また、第一突片における基端部及び先端部よりも厚さ寸法が厚く形成された中間部が第二突片に重なって設けられていることで、第一突片がケース内方側へ変形しようとした際に中間部を第二突片に当接させて、第一突片の変形を抑制することができる。従って、第一突片がケース内へ入り込んでスライド部材のスライドを阻害したり、第一突片を変形させつつ異物がケース内に進入したりなどの不具合を防止することができる。また、第一突片の中間部を第二突片に当接させることで、第一及び第二の突片を合わせた剛性が得られるので、進入しようとする異物に対しては大きな抵抗力によって進入を防止することができ、第一突片を薄肉化することができる。このように第一突片を薄肉化することで、第一突片が摺接するスライド部材との摺接抵抗を低減させることができ、スライド部材のスライドを円滑化させることができる。
【００１７】
さらに、中間部が第二突片に向かって凸に形成され、第一突片の基端部寄りに最大厚さとなる部分が設けられているので、第一突片がケース内方に向かって変形した場合に中間部を第二突片に当接させやすくでき、小さな変形量でも中間部を第二突片に当接させることができる。従って、第一突片がケース内へ入り込むことを確実に防止することができるとともに、ケース内への異物の進入をより確実に防止することができる。
【００１８】
請求項４に記載された発明によれば、第二突片の先端部に傾斜面が形成されているので、ケース内に進入した異物を排出する際に、この異物を第二突片同士の隙間部分に向かって傾斜面が案内することができ、案内した異物を第一突片間を通してケース外へ排出しやすくできる。
【００１９】
請求項２，３に記載された発明によれば、第二突片よりもケースの内側に延びる延出部が第二突片よりも大きな間隔寸法を有し、これらの延出部の先端部に傾斜面が形成されているので、ケース内に進入した異物を延出部同士の間に向かって案内することができ、案内した異物を第二突片間及び第一突片間を通してケース外へ排出しやすくできる。
【００２０】
請求項５に記載された発明によれば、第一突片の突出方向の長さ寸法に対して第二突片後退距離が１／２以下に設定されている、即ち、第一突片の基端部側の半分以上に亘って第二突片が設けられているので、ケース内方側への第一突片の変形を第二突片によって確実に抑制することができる。
【図面の簡単な説明】
【００２１】
【図１】本発明の一実施の形態にかかる電線配索装置を示す斜視図である。
【図２】前記電線配索装置のケース及びプロテクタを示す斜視図である。
【図３】前記ケースの要部を断面図である。
【図４】前記電線配索装置における異物排出手順を示す断面図である。
【図５】（Ａ）〜（Ｃ）は、前記異物排出手順における作用を示す断面図である。
【図６】前記電線配索装置における他の異物排出手順を示す断面図である。
【図７】前記異物排出手順における作用を示す断面図である。
【発明を実施するための形態】
【００２２】
本発明の一実施の形態にかかる電線配索装置を図１〜図７を用いて説明する。
【００２３】
電線配索装置１は、図示しないスライド体としての車両用スライドシートに取り付けられた電子機器と、図示しない支持体としての車体側に設けられた電子機器と、を接続するために車体とスライドシートとに亘って電線（図示省略）を配索する装置である。なお、本実施形態では、電線配索装置１は、自動車に適用されるものを例示するが、本発明の電線配索装置は、自動車に限らず、各種の機器や構造物に適用可能であり、また、自動車においても車両用スライドシートに限らず、スライドドアなどの各種スライド体へ電線を配索するものとして適用可能である。
【００２４】
電線配索装置１は、図１〜図３に示すように、一端がスライドシートの電子機器に接続されて他端が車体側の制御装置に接続された電線と、スライドシートの下方に配置されて電線の余長部分を収容したケース２と、ケース２にスライド可能に取り付けられて内側に通した電線をケース２内からスライドシート側に導くスライド部材としてのプロテクタ３と、スライドシートに取り付けられてプロテクタ３に接続されるブラケット４と、ケース２に取り付けられてプロテクタ３をケース２の内外に挿通させる一対のモール５（５Ａ，５Ｂ）と、一対のモール５の一端部（図１、２中、左端部）上面を覆って設けられる意匠部品である端部カバー６と、当該一端部側におけるケース２の内部に設けられる異物排出部材７と、を備えている。
【００２５】
ケース２は、金属板にプレス加工が施されて形成されたアッパーケース２Ａ及びロアケース２Ｂが重ね合わされ、これらが互いにボルト固定されて略中空箱状に構成されている。このケース２は、スライドシートのスライド方向に延びて長尺状に形成されており、このスライド方向を図１、２中の矢印Ｋで表す。また、ケース２には、電線の余長部分をＵ字状に曲げた状態で収容する余長収容部が設けられ、ケース２の上部には、スライド方向に延びた開口部２０が形成されている。
【００２６】
アッパーケース２Ａは、スライド方向に延びた板状に形成されている。ロアケース２Ｂは、図４、５にも示すように、アッパーケース２Ａと対向する底壁２１と、底壁２１の幅方向両端部立設された側壁２２と、を有し、一方の側壁２２とアッパーケース２Ａの幅方向端縁との間に開口部２０が形成されている。また、ロアケース２Ｂの底壁２１には、スライド方向に延びるとともにプロテクタ３をスライド案内するレール２３が固定されている。このレール２３は、ロアケース２Ｂの側壁２２と間隔を空けて配置されており、側壁２２とレール２３との間に断面略凹溝状の溝部２４が形成されている。
【００２７】
プロテクタ３は、合成樹脂製の２つの部品が組み付けられて構成されている。このプロテクタ３は、電線の一部を把持する固定部と、固定部に連なりＬ字の筒状に形成された電線収容部と、電線収容部の外表面に設けられてレール２３内にスライド可能に収容される摺動部と、を有している。このプロテクタ３は、スライドシートに固定されたブラケット４から引っ張られることで、スライドシートと連動してケース２の長手方向に沿ってスライドする。また、電線収容部は、その一部が溝部２４の内側に位置するとともに、上方に延びた部分がケース２の開口部２０及び一対のモール５Ａ，５Ｂ間に挿通されてケース２の外側に延びて設けられている。従って、プロテクタ３は、そのスライドに伴って、開口部２０から溝部２４内に進入した異物を押してケース２の端部側に移動させる。
【００２８】
ブラケット４は、図１に示すように、スライドシートに固定されるスライドシート固定部４１と、枠状に形成されて内側にプロテクタ３の電線収容部を位置付けるプロテクタ保持部４２と、を有して全体略Ｌ字状に形成されている。このブラケット４は、スライドシートがスライドすると、プロテクタ保持部４２によってプロテクタ３を引っ張り、これによって、プロテクタ３がスライドシートと連動してスライドする。
【００２９】
一対のモール５Ａ，５Ｂは、それぞれ合成樹脂の弾性材料から構成されている。図３に示すように、モール５Ａは、アッパーケース２Ａの上面を覆って取り付けられる本体部５１と、本体部５１から折れ曲がりアッパーケース２Ａの開口部２０側の端縁に係止する係止部（延出部）５２と、本体部５１及び係止部５２の交差位置から延びて開口部２０を覆う弾性変形自在な第一突片としての第１リップ部５３と、第１リップ部５３よりも下方にて係止部５２上端部から突出する第二突片としての第２リップ部５４と、を有している。このモール５Ａは、硬質樹脂と軟質樹脂との二色成形によって製造されるものであって、本体部５１、係止部５２及び第２リップ部５４が硬質樹脂から形成され、第１リップ部５３が軟質樹脂から形成されている。
【００３０】
モール５Ｂは、ロアケース２Ｂの側壁２２上端部に取り付けられる本体部５５と、本体部５５から立設される立上部５６と、本体部５５から側壁２２内面に沿って下方に延びる延出部５７と、立上部５６から延びて開口部２０を覆う弾性変形自在な第一突片としての第１リップ部５８と、第１リップ部５８よりも下方にて立上部５６基端部から突出する第二突片としての第２リップ部５９と、を有している。このモール５Ｂは、硬質樹脂と軟質樹脂との二色成形によって製造されるものであって、本体部５５、立上部５６、延出部５７及び第２リップ部５９が硬質樹脂から形成され、第１リップ部５８が軟質樹脂から形成されている。
【００３１】
以上のモール５Ａ，５Ｂにおいて、第１リップ部５３，５８は、互いに微小な隙間を介して対向するとともに開口部２０を覆うことによって、ケース２内に異物が進入することを防止する。また、第１リップ部５３，５８は、その基端部５３Ａ，５８Ａ（第１リップ部５３における本体部５１側の端部であり、第１リップ部５８における立上部５６側の端部）、及び各々の突出方向の先端部５３Ｂ，５８Ｂよりも、それぞれの中間部５３Ｃ，５８Ｃの厚さ寸法が下方に向かって厚く形成されている。この中間部５３Ｃ，５８Ｃは、第２リップ部５４，５９に向かって凸に形成され、即ち、下向き凸な略台形状に形成されるとともに、その厚さ寸法が最大となる部分が該第１リップ部５３，５８の長さ中央よりも基端部５３Ａ，５８Ａ寄りに設けられている。
【００３２】
このような第１リップ部５３，５８は、軟質であるとともに薄く形成された基端部５３Ａ，５８Ａが撓みやすくなっていることで、この基端部５３Ａ，５８Ａを中心として上方に回動し、その間に挿通されたプロテクタ３に沿って弾性変形可能に構成されている。一方、外部からの異物等によって第１リップ部５３，５８が下方に押された場合には、中間部５３Ｃ，５８Ｃが第２リップ部５４，５９に当接することで、第１リップ部５３，５８の回動が規制され、これにより第１リップ部５３，５８がケース２内へ入り込まないようになっている。
【００３３】
また、第１リップ部５３，５８の基端部５３Ａ，５８Ａから先端縁までの長さ寸法Ｌ１は、第１リップ部５３，５８同士の隙間から異物が進入しにくい寸法であって、かつ、該第１リップ部５３，５８がプロテクタ３に摺接する際の摩擦抵抗を小さくできる範囲で設定されている。一方、第２リップ部５４，５９の長さ寸法Ｌ２は、第１リップ部５３，５８の長さ寸法Ｌ１よりも小さく、かつ、第１リップ部５３，５８の長さ寸法Ｌ１の１／２程度であるとともに、第２リップ部５４，５９同士の間に挿通されるプロテクタ３に接触しない程度に設定されている。ここで、第１リップ部５３，５８の先端縁から第２リップ部５４，５９の先端縁までの後退距離Ｌ３は、第１リップ部５３，５８の長さ寸法Ｌ１の１／２以下に設定されていることが好ましい。
【００３４】
また、第２リップ部５４，５９の先端部には、各々の突出方向に向かって上方に傾斜した傾斜面５４Ａ，５９Ａが形成されている。即ち、傾斜面５４Ａ，５９Ａは、ケース２の内部から外部に向かって徐々に互いの間隔が小さくなる傾斜を有して形成されている。また、モール５Ａにおける係止部（延出部）５２の下端部には、下方（延出方向）に向かって幅方向に拡がる傾斜面５２Ａが形成され、モール５Ｂにおける延出部５７の下端部には、下方（延出方向）に向かって幅方向に拡がる傾斜面５７Ａが形成されている。即ち、傾斜面５２Ａ，５７Ａは、係止部５２及び延出部５７の延出方向である下方に向かって互いの間隔が拡大し、上方に向かって互いに接近する方向に傾斜して形成されている。
【００３５】
端部カバー６は、合成樹脂の弾性材料から構成され、一対のモール５Ａ，５Ｂの端部上面を覆ってアッパーケース２Ａに取り付けられている。この端部カバー６は、一対のモール５Ａ，５Ｂの端部が捲れ上がるのを防止するとともに、車体の床に設けられる図示しないフロアカーペットの見切り部品や押さえ部品として機能する。
【００３６】
異物排出部材７は、プロテクタ３によってケース２の端部に移動された異物を開口部２０及びモール５Ａ，５Ｂの隙間からケース２外に排出するためのものである。この異物排出部材７は、合成樹脂製の一体成形部品であって、図３に示すように、溝部２４に嵌め込まれて装着され、溝部２４から立ち上がる本体部７１と、この本体部７１から下方に突出して溝部２４底面に係合される係合突部７２と、本体部７１の側方からレール２３上面に沿って膨出した膨出部７３と、本体部７１から側壁２２及びモール５Ｂに沿って延設された板状延出部７４と、を有して形成されている。本体部７１には、図４にも示すように、溝部２４の底面に密接される底部から上方に向かってスライド方向端部側に傾斜した傾斜面部７５が形成されている。
【００３７】
次に、電線配索装置１において、ケース２内の溝部２４に進入した異物の排出手順について、図４〜７も参照して説明する。ここで、図４、５には、異物としてのライターＥ１を排出する場合が示され、図６、７には、異物としてのキー（鍵）Ｅ２を排出する場合が示されている。なお、異物としては、ライターＥ１やキーＥ２に限らず、コイン（硬貨）やペンなど、モール５Ａ，５Ｂの第１リップ部５３，５８間を挿通する様々なものが異物となり得る。
【００３８】
図４に示すように、ケース２内の溝部２４に進入したライターＥ１は、スライドシートのスライドに伴って移動するプロテクタ３によってケース２の端部側に押され、異物排出部材７の傾斜面部７５に沿って上方に立ち上げられる。このライターＥ１は、モール５Ａ，５Ｂの第１リップ部５３，５８間を通ってケース２の外部に排出されることになる。ライターＥ１の先端が傾斜面部７５に到達する以前においては、図５に示すように、溝部２４に進入して幅方向に倒れたライターＥ１を異物排出部材７が引き起こすようになっている。ここで、ライターＥ１の幅方向のサイズが大きい場合には、開口部２０に引っ掛かって倒れないこともあるが、その場合にはライターＥ１を引き起こす必要がなく、略直立した状態のままのライターＥ１を図４に示すように排出すればよい。一方、ライターＥ１の幅方向のサイズが小さい場合には、開口部２０に引っ掛からずに倒れることから、ライターＥ１を引き起こす際にも引っ掛からないように、即ち、ライターＥ１の回動軌跡に干渉しないように、モール５Ａ，５Ｂの形状が設定されている。
【００３９】
具体的には、溝部２４に進入したライターＥ１が図５（Ａ）に示すようにレール２３側に倒れた場合、このライターＬが異物排出部材７に向かって押されてくると、図５（Ｂ）に示すように、先ず、板状延出部７４の先端縁がライターＥ１の一方側に当接する。さらに、膨出部７３の先端縁がライターＥ１の他方側に当接し、膨出部７３の傾斜面に沿わせてライターＥ１を案内し、プロテクタ３に押された移動に伴ってライターＥ１を立ち上げる。さらに、図５（Ｃ）に示すように、膨出部７３及び板状延出部７４で案内しつつライターＥ１を立ち上げる。この際、モール５Ａの係止部５２先端部に傾斜面５２Ａが形成されていることから、ライターＥ１が係止部５２と干渉しないようになっている。その後、ライターＥ１は、その先端が傾斜面部７５に沿って案内されることで、長さ方向に立上げられてケース２外に排出される。
【００４０】
次に、図６、７に示すように、他の異物であるキーＥ２の場合には、その厚さ寸法が薄く、かつ、その先端が細長い形状であることから、傾斜面部７５で案内する際にキーＥ２が幅方向左右に傾きやすくなっている。このような場合でも、キーＥ２の先端がモール５Ａ，５Ｂに引っ掛からないように、係止部５２や延出部５７の形状、第２リップ部５４，５９の先端同士の隙間及び傾斜面５４Ａ，５９Ａの形状が適宜に設定されている。即ち、前述のライターＥ１と同様に移動されたキーＥ２は、その先端が膨出部７３や板状延出部７４により案内されつつ傾斜面部７５に沿って立ち上げられる。この際、キーＥ２の先端が左右に振れたとしても、延出部５７の傾斜面５７Ａや係止部５２の傾斜面５２Ａによって幅方向の中央側に寄せられる。さらに、第２リップ部５４，５９の隙間を通過する際においても、キーＥ２の先端が傾斜面５４Ａ，５９Ａに案内されて幅方向の中央側に寄せられ、第１リップ部５３，５８間に向かって押し上げられたキーＥ２がケース２外に排出される。
【００４１】
以上のような本実施形態の電線配索装置１によれば、モール５Ａ，５Ｂにおける第１リップ部５３，５８が軟質樹脂から形成されるとともに、その基端部５３Ａ，５８Ａが薄肉化されていることで、プロテクタ３に沿って第１リップ部５３，５８が弾性変形しやすくなり、プロテクタ３との摺動抵抗を抑制してプロテクタ３を円滑にスライドさせることができる。また、第２リップ部５４，５９がプロテクタ３が接触しないことから、プロテクタ３のスライドを阻害することがない。さらに、第１リップ部５３，５８の中間部５３Ｃ，５８Ｃが第２リップ部５４，５９に当接し、第１リップ部５３，５８がケース２内へ入り込まないようになっているので、外方から作用する外力による第１リップ部５３，５８の変形が抑制でき、異物の進入を防止することができる。また、ケース２内に異物が進入した場合であっても、モール５Ａ，５Ｂにおける延出部５７の傾斜面５７Ａや係止部５２の傾斜面５２Ａ、第２リップ部５４，５９の傾斜面５４Ａ，５９Ａで異物を幅方向内側に案内することで、異物をケース２外へ円滑に排出することができる。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【００４３】
例えば、前記実施形態では、電線配索装置１において、ケース２の端部に設けた異物排出部材７によって異物を排出する構成としたが、異物排出部材は本発明の必須の構成ではなく、ケース２の一部に傾斜面部等を形成して異物を排出するようにしてもよいし、ケース２に異物排出孔を設けて異物を排出するようにしてもよい。また、ケース２や、その内部のレール２３及び溝部２４、スライド部材（プロテクタ３）等は、前記実施形態の構成に限らず、支持体やスライド体の構成に応じた適宜な形態を有していればよい。
【符号の説明】
【００４４】
１      電線配索装置
２      ケース
３      プロテクタ（スライド部材）
５      モール
２０    開口部
５２    係止部（延出部）
５２Ａ  傾斜面
５３，５８  第１リップ部（第一突片）
５３Ａ，５８Ａ  基端部
５３Ｂ，５８Ｂ  先端部
５３Ｃ，５８Ｃ  中間部
５４，５９  第２リップ部（第二突片）
５４Ａ，５９Ａ  傾斜面
５７    延出部
５７Ａ  傾斜面
【図１】
0005877556.tif 000002
【図２】
0005877556.tif 000003
【図３】
0005877556.tif 000004
【図４】
0005877556.tif 000005
【図５】
0005877556.tif 000006
【図６】
0005877556.tif 000007
【図７】
0005877556.tif 000008